(57)【要約】【課題】ベビーキャリーバスケットを幼児以上になっても使用できるようにする。【解決手段】長方形の底面クッション体１２の各辺には短辺側面クッション体１３、１３及び長辺側面クッション体１４、１４が繋がっており、底面クッション体１２と短辺側面クッション体１３、１３との間の第一連結ファスナー１５、１５の連結を外し、長辺側面クッション体１４、１４の外縁の第二連結ファスナー１６、１６に繋ぎ変え、さらに短辺側面クッション体１３、１３どうしを面ファスナー１７、１７で連結する。このようなクッション体１２，１３、１４は、バスケット袋体１内から取り出して、上記繋ぎ変えをして、布団袋２１内に収納して、布団に転用し幼児以上でも使用できる。クッション体１３、１４、１５を取り出したバスケット袋体１は、中央で折り曲げられ、ファスナー９どうしをつないで閉じて、袋状とし、荷物を入れて運ぶ。【選択図】図４
2014087433.tif 000002
【特許請求の範囲】
【請求項１】
箱型のベビーキャリーバスケットの複数の側面及び底面に収納されるほぼ同じ厚さの板状のクッション体と、
複数種類の側面のうち、大きさの小さい側面の板状のクッション体とこの底面のクッション体とを直脱自在にする、側面のクッション体及び底面のクッション体の辺縁に沿って設けられた第一の連結機構と、
この連結機構を解除して、底面のクッション体から離脱された側面のクッション体の辺縁を、別の側面のクッション体の辺縁に対して着脱自在に連結し、連結された底面のクッション体及び側面のクッション体の全体としてほぼ方形状のクッション体とする第二の連結機構とを備えたことを特徴とするベビーキャリーバスケット。
【請求項２】
上記底面のクッション体は長方形状であり、
上記側面のクッション体はこの長方形状の四辺の短辺側に連結される少なくとも２つのほぼ同形同大の方形状の短辺側面のクッション体と、当該方形状の四辺の長辺側に連結される少なくとも２つのほぼ同形同大の方形状の長辺側面のクッション体とからなり、
上記第一の連結機構は、上記底面のクッション体の短辺の辺縁側と、上記短辺側面のクッション体の辺縁側に設けられており、
上記第二の連結機構は、上記長辺側面のクッション体の底面のクッション体側と反対側の辺縁と、上記短辺側面のクッション体の辺縁側に設けられていることを特徴とする請求項１記載のベビーキャリーバスケット。
【請求項３】
長辺側面のクッション体の幅は、短辺側面のクッション体の幅のほぼ２倍であり、
短辺側面のクッション体側の第一の連結機構と第二の連結機構は兼用されることを特徴とする請求項２記載のベビーキャリーバスケット。
【請求項４】
上記側面のクッション体が付け替えられる、上記２つの短辺側面のクッション体の隣接するそれぞれの辺縁には、これら辺縁を互いに連結する第三の連結機構が設けられていることを特徴とする請求項３記載のベビーキャリーバスケット。
【請求項５】
上記ベビーキャリーバスケットには複数の開口部が設けられ、１つの開口部から上記クッション体を引き出すまたは入れ込み、他の開口部から、この引き出しまたは入れ込みを助けることを可能とする請求項４記載のベビーキャリーバスケット。
【請求項６】
上記側面のクッション体が付け替えられた、底面のクッション体、長辺側面のクッション体及び短辺側面のクッション体は、袋体に収納されることを特徴とする請求項５記載のベビーキャリーバスケット。
【請求項７】
上記長辺側面のクッション体はやや台形形状に近く、ベビーキャリーバスケット内の乳児の頭部側の高さは同乳児の足側の高さよりやや高いことを特徴とする請求項６記載のベビーキャリーバスケット。
【請求項８】
上記クッション体が外されたベビーキャリーバスケットは、中央で折られて、荷物を収納する袋に転用されることを特徴とする請求項７記載のベビーキャリーバスケット。
【発明の詳細な説明】
【技術分野】
【０００１】
本発明は、ベビーキャリーバスケットに関し、特にベビーキャリーバスケット以外の布団などにも兼用・転用できるベビーキャリーバスケットに関する。
【背景技術】
【０００２】
このようなベビーキャリーバスケットは、乳児が安全に移動するには広く使用され重要なものである。このようなベビーキャリーバスケットは、子供が出産直後から歩行できる１〜２歳までの間に使用され、子供が幼児になると使用されなくなる。
【０００３】
【特許文献１】特許第３５９９５８２号公報
【特許文献２】実公昭５４−０１１１６４号公報
【特許文献３】実用新案登録第３１３０１７１号公報
【特許文献４】特開昭６１−０５８６１２号公報
【特許文献５】特開２００３−０１９０１５号公報
【特許文献６】特開平９−１６８６７２号公報
【特許文献７】実用新案登録第３０４８００５号公報
【特許文献８】実開平５−０４１９４９号公報
【発明の開示】
【発明が解決しようとする課題】
【０００４】
本発明は、上述した課題を解決するためになされたものであり、本発明の目的は、幼児以上になっても使用できるベビーキャリーバスケットを提供することにある。
【課題を解決するための手段】
【０００５】
このため、本発明のベビーキャリーバスケットは、  箱型のベビーキャリーバスケットの複数の側面及び底面に収納される板状のクッション体と、  この側面のクッション体とこの底面のクッション体とを直脱自在にする、側面のクッション体及び底面のクッション体の辺縁に沿って設けられた第一の連結機構と、  この連結機構を解除して、底面のクッション体から離脱された側面のクッション体の辺縁を、底面のクッション体の別の辺縁に対して着脱自在に連結し、連結された底面のクッション体及び側面のクッション体と全体としてほぼ方形状のクッション体とする第二の連結機構とを備えた。
【０００６】
これにより、乳児用のベビーキャリーバスケット内のクッション体の形を変えてほぼ方形状にして、幼児用の布団に転用でき、ベビーキャリーバスケットを幼児以上になっても使用できる。
【発明を実施するための最良の形態】
【０００７】
（１）ベビーキャリーバスケットの構造
図１はベビーキャリーバスケットの外観を示し、図２はベビーキャリーバスケットを開いた状態を示す。開いたベビーキャリーバスケットは方形状のバスケット袋体１は、方形状であり、四つの角が丸くなっている。
【０００８】
この展開されたバスケット袋体１は「＃状」に仕切られ、中央が長方形状の底面２となり、この長方形状の底面２の２つの短辺側には短辺側面３、３となり、底面２の２つの長辺側には長辺側面４、４となり、残りの四隅はほぼ正方形状で角が丸くなっている角部５…となっている。
【０００９】
角部５…の短辺側面３、３との境界と、長辺側面４、４との境界とには、ファスナー６、９が設けられ、このファスナー６、９を互いに係合すると、バスケット袋体１の底面２に対して短辺側面３、３及び長辺側面４、４を起立させて、バスケット袋体１を箱型にすることができる。
【００１０】
この長辺側面４、４に上縁にはキャリーバンド７、７が固定されており、箱型にされたベビーキャリーバスケットに内に乳児を収めて、キャリーバンド７、７を持ち上げて運ぶことができる。バスケット袋体１の短辺側面３、３の両外縁は縫合されず、開口部８、８が形成され、この開口部８、８にはファスナーが設けられ、この開口部８、８が開閉可能となっている。
【００１１】
（２）クッション体の構造
図３は、上記バスケット袋体１内に収納される、クッション体１２、１３、１４を示す。図４は、短辺側面クッション体１３、１３を付け替えたクッション体１２、１３、１４及び布団袋２１を示す。図６は、ベビーキャリーバスケット内に配置されるインナーシート２６及びインナー枕３１を示す。
【００１２】
このクッション体１２、１３、１４は、中央の長方形の板状の１つの底面クッション体１２と、長方形の板状の２つのほぼ同形同大の短辺側面クッション体１３、１３と、長方形の板状の２つのほぼ同形同大の長辺側面クッション体１４、１４とから構成されている。
【００１３】
短辺側面クッション体１３、１３は、長辺側面クッション体１４、１４より大きさが小さい。短辺側面クッション体１３、１３及び長辺側面クッション体１４、１４は高さがほぼ同じで、長辺側面クッション体１４、１４の幅は、短辺側面クッション体１３、１３の幅のほぼ２倍となっている。
【００１４】
底面クッション体１２と長辺側面クッション体１４、１４とは、同じ布袋に収納されたり、辺縁が互いに縫合されたりして、互いに分離できないように連結されている。これにより、底面クッション体１２の長辺の辺縁と長辺側面クッション体１４、１４の長辺の辺縁との間にファスナーなどが無く、幼児の布団として使用した時に違和感がない。むろん、着脱自在にされていてもよい。
【００１５】
底面クッション体１２の短辺の辺縁と、短辺側面クッション体１３、１３の長辺の辺縁には、第一連結ファスナー１５、１５（第一の連結機構）、が設けられ、この第一連結ファスナー１５、１５を開閉して、底面クッション体１２と短辺側面クッション体１３、１３トーンを分離したり連結したりして着脱自在にできる。
【００１６】
上記２つの長辺側面クッション体１４、１４の一方の外側の辺縁、つまり底面クッション体１２と反対側の辺縁には、２つの第二連結ファスナー１６、１６（第二の連結機構）、が一列に設けられている。上記第一連結ファスナー１５、１５を外して、短辺側面クッション体１３、１３を底面クッション体１２から離脱し、上記第二連結ファスナー１６、１６の方に付け替えて連結して閉じて、一方の長辺側面クッション体１４の外縁に短辺側面クッション体１３、１３を付け替えることができる。
【００１７】
長辺側面クッション体１４、１４の幅（横方向長さ）は、短辺側面クッション体１３、１３の幅（横方向長さ）のほぼ２倍となっている。これにより、短辺側面クッション体１３、１３を付け替えると、クッション体１２、１３、１４全体としてほぼ長方形状にすることができる。これにより、短辺側面クッション体１３、１３を付け替えたクッション体１２、１３、１４を幼児用に布団に転用できる。
【００１８】
また、付けかるのが大きさの小さい短辺側面クッション体１３、１３なので、第一連結ファスナー１５、１５及び第二連結ファスナー１６、１６の長さを短くして、資材を節約してコストダウンできるし、布団に寝る子供に当たるファスナー部分が少なくなって快適になる。
【００１９】
また、短辺側面クッション体１３、１３の第一連結ファスナー１５、１５は、底面クッション体１２の短辺辺縁側の第一連結ファスナー１５、１５にも連結できるし、長辺側面クッション体１４の外縁の第二連結ファスナー１６、１６にも連結できて、兼用できる。これにより、第一連結ファスナー１５、１５と第二連結ファスナー１６、１６とを兼用して有効活用できる。
【００２０】
上記２つの短辺側面クッション体１３、１３の隣接するそれぞれの辺縁には、互いに連結する面ファスナー１７、１７（第三の連結機構）が設けられ、２つの短辺側面クッション体１３、１３が互いに連結されたり分離されたりする。この連結によって、２つの短辺側面クッション体１３、１３が互いに固定され、幼児用またはそれ以上の年齢の布団として快適にされる。
【００２１】
このような底面クッション体１２、短辺側面クッション体１３、１３、長辺側面クッション体１４、１４は、上記バスケット袋体１の、ファスナーが開けられた開口部８、８の一方から入れ込まれて、バスケット袋体１内に平坦に配置される。ここで、底面クッション体１２は、バスケット袋体１の天面２内に、短辺側面クッション体１３、１３はバスケット袋体１の短辺側面３、３内に、長辺側面クッション体１４、１４はバスケット袋体１の長辺側面４、４内に、それぞれ配置収納される。
【００２２】
このとき、クッション体１２、１３、１４が挿入される開口部８と反対側の開口部８から手をいれて、クッション体１２、１３、１４を引くことができ、クッション体１２、１３、１４をバスケット袋体１内に容易に収納できる。また、バスケット袋体１からクッション体１２、１３、１４を取り出すときにも、同様にファスナーが開けられた開口部８、８の一方から引き出されて、他方の開口部８、８から手で押し出され、クッション体１２、１３、１４をバスケット袋体１内から容易に引き出すことができる。
【００２３】
上記長辺側面クッション体１４、１４及びバスケット袋体１の長辺側面４、４はやや台形に近く、足部側の短辺側面３または短辺側面クッション体１３より頭部側の短辺側面３または短辺側面クッション体１３の方が高く、ベビーキャリーバスケット内の乳児の頭部側の高さは同乳児の足側の高さよりやや高くなっている。これにより、乳児の頭部をより守ることができる。
【００２４】
このようなクッション体１２、１３、１４の頭部側と足部側とを間違えないために、クッション体１２、１３、１４に目印を設けることもできる。この場合、例えば、後述する、雄ホック３０の数に応じた、２つの丸が足部側に付けられ、１つの丸が頭部側に付けられる。
【００２５】
上記箱型のベビーキャリーバスケット内には、細長い長方形状のクッション性のあるインナーシート２６が配置され、このインナーシート２６の両端は半円状になっている。このインナーシート２６には二つの折り目が形成され、この二つの折り目の間の長方形部分が、箱型のバスケット袋体１の底面２の上に当接収納され、両端の半円部分は、上記短辺側面３、３の内側に当接収納される。
【００２６】
インナーシート２６の二つの折り目の内一方は頭部側２７とされ、他方は足部側２８とされる。頭部側２７は足部側２８より長さが長く、上記バスケット袋体１の頭部側が足部側よりやや高くなっていることに対応している。
【００２７】
上記頭部側２７の裏には１つの雌ホック２９が取り付けられている。上記足部側２８の裏には２つの雌ホック２９、２９が設けられている。一方バスケット袋体１の頭部側の短辺側面３の外側には１つの雄ホック３０が取り付けられ、足部側の短辺側面３の外側には２つの雄ホック３０、３０が設けられている。
【００２８】
インナーシート２６の頭部側２７は、頭部側の短辺側面３の上縁で折り曲げられ、雌ホック２９が雄ホック３０に係合する。インナーシート２６の足部側２８は、足部側の短辺側面３の上縁で折り曲げられ、ホック２９、２９が雄ホック３０、３０に係合する。
【００２９】
これにより、インナーシート２６の装着のときに、頭側と足側とで向きを間違えることがない。インナーシート２６を逆向きにすると、雌ホック２９と雄ホック３０の数が合わず、係合することができず、間違えることがない。これはバスケット袋体１の短辺側面３、３及びインナーシート２６の頭部側と足部側とで高さが異なるためで、これを間違えないようにするためである。
【００３０】
このような間違いを防ぐ機構は、色分け、文字・記号、他の機構によってもよいし、係合手段は、他に面ファスナー、接着テープ、ファスナー、磁石、ボタンとボタンホール、紐など、着脱できればなんでもよいし、数の違いは上記以外でもよい。この頭部側と足部側とが同じ高さでもよく、このような場合には、このような間違えない機構は省略されてもよい。
【００３１】
上記インナーシート２６の上の頭部には、さらにインナー枕３１が着脱自在に取り付けられる。  上記バスケット袋体１の底面２の下側には長方形状の布が縫合され下面収納袋１８が形成されている。この下面収納袋１８内には板状の固い樹脂板（図示せず）が収納され、箱型にされたベビーキャリーバスケットが捻じれず歪まないようにされる。
【００３２】
（３）布団袋２１
図４は布団袋２１を示す。上記短辺側面クッション体１３、１３が並び替えられ連結位置が切り換えられて、方形状になったクッション体１２、１３、１４全体は、ほぼ方形状の布団袋２１内に収納される。この布団袋２１は長方形状で、この長方形の長辺側にファスナー付の開口部２２が設けられ、この開口部２２からクッション体１２、１３、１４が出し入れされる。
【００３３】
このような布団袋２１に収納されれば、クッション体１２、１３、１４を幼児用の布団としてより快適に使用できる。この布団袋２１の四隅には一対ずつの紐２３…が取り付けられている。この紐２３…を結んで布団袋２１をコンパクトにまとめてネットなどで洗濯できる。同様に、バスケット袋体１、底面クッション体１２、短辺側面クッション体１３、１３、長辺側面クッション体１４、１４、インナーシート２６、インナー枕３１なども、分離して洗濯できる。
【００３４】
（４）袋（肩掛け袋、手提げ袋）
図５はバスケット袋体１を袋（肩掛け袋、手提げ袋）にした状態を示す。上記バスケット袋体１の角部５の互いに直交するファスナー６、９の内、長辺側面４の辺縁に沿ったファスナー９は延長され、底面２と短辺側面３との境界の中央まで伸びている。残りのファスナー６は短辺側面３の辺縁に沿っている。
【００３５】
バスケット袋体１から上記底面クッション体１２、短辺側面クッション体１３、１３、長辺側面クッション体１４、１４を取り出して、バスケット袋体１の下面を外側にして、バスケット袋体１を長手方向に沿って中央で折り曲げて、短辺側面３、３を内側に折り込んで、ファスナー９、９どうしを係合すると、バスケット袋体１を袋（肩掛け袋、手提げ袋）にすることができる。
【００３６】
このようにベビーキャリーバスケットを、荷物を収納する袋（肩掛け袋、手提げ袋）に転用すれば、乳児が成長して大きくなった時でも、幼児用またはそれ以上の年齢の袋（肩掛け袋、手提げ袋）として転用できる。
【００３７】
内側に折り込まれる短辺側面３、３には、上記開口部８、８が付いているので、この開口部８、８と通じて、バスケット袋体１内にも荷物を出し入れすることができる。この開口部８、８には、ファスナーが付いているので、このファスナーを閉めれば荷物が落下しない。
【００３８】
また、キャリーバンド７、７は、袋（肩掛け袋、手提げ袋）の両外側から上方に位置するので、そのまま手で握ったり肩に掛けたりできて、有効に転用できる。このような袋（肩掛け袋、手提げ袋）への転用では、バスケット袋体１を中央で折るほか、他の箇所で折ってもよく、荷物を収納できればどのような折り方でもよく、長辺側面４、４の上縁／外縁に互いに係合するファスナーが設けられてもよい。
【００３９】
（５）他の実施の形態
本発明は上記各実施例に限定されず、本発明の趣旨を逸脱しない範囲で種々変更可能である。例えば、４つの角部５…の外周縁に沿ってファスナーが設けられ、この角部５…内にクッション材が収納されて、このバスケット袋体１全体がそのまま幼児用及びそれ以上の年齢の布団に転用されてもよい。この場合、インナーシート２６が４分割などできるようにしておいて、この分割されたインナーシート２６が角部５…内に収納されてもよい。
【００４０】
ベビーキャリーバスケットの形状は直方体状の箱型のほか、立方体、円柱、楕円柱、角柱、半円柱、半楕円柱、半角柱、円錐台、角錐台、球、卵形、半球、半卵形、多面体、ひょうたん形、その他の立体形状、これらの組み合わせ立体形状など、なんでもよい。これに応じて、短辺側面クッション体１３、１３は同形同大でなくてもよいし、長辺側面クッション体１４、１４も同形同大でなくてもよい。
【００４１】
バスケット袋体１は、長方形のほか、円形、楕円形、平行四辺形、菱形、多角形、三角形、台形、星形、曲線形状、十字形、角張った形状、角張った段差のある形状、丸みを帯びた段差のある形状、丸みを帯びた凹凸のある形状、これらの組み合わせ形状などでもよいし、展開した時平坦ではなく、立体的でもよい。
【００４２】
付け替えの方法は任意であり、短辺側面クッション体１３、１３をスライドさせてもよい。この場合、底面クッション体１２の短辺側及び長辺側面クッション体１４、１４の短辺側に沿ってファスナーが設けられ、一方の短辺側面クッション体１３が長手方向に沿ってスライドされ、このスライドされて形成された凹部内に、他方の短辺側面クッション体１３が付け替えられる。この場合、大体において、底面２の幅＋長辺側面４の高さ×２＝短辺側面３の幅×２となる。
【００４３】
付け替えられるのは、短辺側面クッション体１３、１３ではなく、大きい方の長辺側面クッション体１４、１４であってもよい。この場合、長辺側面クッション体１４、１４と底面クッション体１２との間にファスナーが設けられ、一方の長辺側面クッション体１４が長手方向に沿ってスライドされ、このスライドされて形成された凹部内に、他方の長辺側面クッション体１４が付け替えられる。この場合、大体において、底面２の長さ＋短辺側面３の高さ×２＝長辺側面３の幅×２となる。
【００４４】
短辺側面クッション体１３、１３が付け替えられた、クッション体１２、１３、１４全体の平面形状は、凹凸のあまりない長方形状であったが、凹凸のある長方形、正方形、円形、楕円形、平行四辺形、菱形、多角形、三角形、台形、星形などでもよい。凹凸のある形状の時には、この凹凸をならす別のクッション体１２、１３、１４がさらに付加されてもよい。この別のクッション体１２、１３、１４として上記の分割されるインナーシート２６が用いられてもよい。
【００４５】
底面クッション体１２、短辺側面クッション体１３、１３、長辺側面クッション体１４、１４は、ウレタン材、綿、布団綿、毛布素材、その他クッション性を有する素材からなるが、クッション性の少ない布団材からなっていてもよいし、厚さが大きくクッション性の大きい形態でもよい。このようなクッション体１２〜１４は敷き布団のほか、掛け布団と、敷き毛布、掛け毛布などとして転用されてもよい。
【００４６】
底面クッション体１２、短辺側面クッション体１３、１３、長辺側面クッション体１４、１４は、バスケット袋体１内に収納されるほか、ベビーキャリーバスケット内に敷かれるものや、ベビーキャリーバスケットの上面または下面に接合されるものなどでもよい。
【００４７】
この場合、バスケット袋体１は布製のほか、撓みにくい木製、竹製、樹脂製、金属製、ガラス製、綿製、ゴム製、紙製、セラミック製、カーボン製、ウレタン製、発泡ウレタン製、スポンジ製、これらの合成物製／混合物製／多層積層物製でもよい。
【００４８】
底面クッション体１２に対して、長辺側面クッション体１４、１４もファスナーなどで着脱自在にされてもよい。着脱自在にされなければ、ファスナーが少なくて済み、資材を節約してコストダウンできるし、布団に寝る子供に当たるファスナー部分が少なくなって快適になる。
【００４９】
上記ファスナー６…、９…、第一連結ファスナー１５、１５、第二連結ファスナー１６、１６、面ファスナー１７、１７、雌ホック２９…、雄ホック３０…の連結手段／結合手段は、水性または油性の接着剤による接着、糸による縫合、高周波溶着、面ファスナー、線ファスナー、接着テープ、ボタン、フック、ホック、クリップ、挟み、磁石、ホチキス、ボルト及びナット、ねじなどなんでもよい。
【００５０】
長辺側面クッション体１４、１４の幅は、短辺側面クッション体１３、１３の幅の２倍であったが、３倍、４倍、…、１倍、１／２倍、１／３倍、…でもよい。長辺側面クッション体１４、１４の高さは、短辺側面クッション体１３、１３の高さとほぼ同じであったが、異なっていてもよく、３倍、４倍、…、１倍、１／２倍、１／３倍、…でもよい。
【００５１】
底面クッション体１２、短辺側面クッション体１３、１３、長辺側面クッション体１４、１４の厚さはほぼ同じであったが、異なる厚さでもよく、それぞれの厚さは、３倍、４倍、…、１倍、１／２倍、１／３倍、…でもよい。
【００５２】
第一連結ファスナー１５、１５と第二連結ファスナー１６、１６とは一部兼用されていたが、兼用されなくてもよいし、全部兼用されてもよい。第一連結ファスナー１５、１５、第二連結ファスナー１６、１６の一部または全部は、面ファスナー１７、１７と兼用されてもよいし、ファスナー６…、９…と兼用されてもよい。
【００５３】
上記開口部８、８は、短辺側面３、３の外縁側だけでなく、長辺側面４、４の外縁側に設けられてもよいし、開口部８、８は省略され、クッション体１２、１３、１４はバスケット袋体１の表面、裏面、中央、その他の箇所に設けられたファスナー付の開口部が出し入れされてもよいし、開口部８の数は１つでも、３つ以上でもよいし、バスケット袋体１の中心を挟んで対角位置でもよいし、対角位置からずれてもよいし、バスケット袋体１の周縁に沿って等間隔または不等間隔でもよい。
【００５４】
上記底面クッション体１２、短辺側面クッション体１３、１３、長辺側面クッション体１４、１４は、布団袋２１に収納されず、そのまま幼児用またはそれ以上の年齢用の布団に転用されてもよい。インナーシート２６の頭部側２７は足部側２８より高かったが、同じ高さでもよいし、低くてもよい。
【００５５】
上記長辺側面クッション体１４、１４及び長辺側面４、４はやや台形状で、これに応じて。２つの短辺側面クッション体１３、１３及び２つの短辺側面３、３の高さは若干異なっていた。しかし、２つの短辺側面クッション体１３、１３または短辺側面３、３は互いに完全に同形同大でも良いし、長辺側面クッション体１４、１４または長辺側面４、４はやや台形状ではなく、完全な長方形状でもよい。
【００５６】
上記バスケット袋体１、底面２、短辺側面３、３、長辺側面４、４、角部５…、ファスナー６…、９…、キャリーバンド７、７、開口部８、８、底面クッション体１２、短辺側面クッション体１３、１３、長辺側面クッション体１４、１４、第一連結ファスナー１５、１５、第二連結ファスナー１６、１６、面ファスナー１７、１７、下面収納袋１８、布団袋２１、開口部２２、紐２３…、インナーシート２６、頭部側２７、足部側２８、雌ホック２９、雄ホック３０、インナー枕３１の一部または全部は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は繊維製、軟質樹脂製のほか、硬質樹脂製、金属製、木製、紙製、ゴム製、表面に化粧紙が接着されたもの、竹製、樹脂製、ガラス製、綿製、布製、糸製、繊維製、ゴム製、紙製、セラミック製、カーボン製、ウレタン製、これらの合成物製／混合物製／多層積層物製でもよいし、他のものがさらに付加・積層・混合されてもよい。
【００５７】
（６）他の発明の効果
［１］箱型のベビーキャリーバスケットの複数の側面及び底面に収納されるほぼ同じ厚さの板状のクッション体と、  複数種類の側面のうち、大きさの小さい側面の板状のクッション体とこの底面のクッション体とを直脱自在にする、側面のクッション体及び底面のクッション体の辺縁に沿って設けられた第一の連結機構と、  この連結機構を解除して、底面のクッション体から離脱された側面のクッション体の辺縁を、別の側面のクッション体の辺縁に対して着脱自在に連結し、連結された底面のクッション体及び側面のクッション体の全体としてほぼ方形状のクッション体とする第二の連結機構とを備えたことを特徴とするベビーキャリーバスケット。これにより、大きさの小さい側面の板状のクッション体を付け替えるので、第一の連結機構及び第二の連結機構を小さくして、コストダウンをし、着脱に手間がかからない。
【００５８】
［２］上記底面のクッション体は長方形状であり、  上記側面のクッション体はこの長方形状の四辺の短辺側に連結される少なくとも２つのほぼ同形同大の方形状の短辺側面のクッション体と、当該方形状の四辺の長辺側に連結される少なくとも２つのほぼ同形同大の方形状の長辺側面のクッション体とからなり、  上記第一の連結機構は、上記底面のクッション体の短辺の辺縁側と、上記短辺側面のクッション体の辺縁側に設けられており、  上記第二の連結機構は、上記長辺側面のクッション体の底面のクッション体側と反対側の辺縁と、上記短辺側面のクッション体の辺縁側に設けられていることを特徴とする請求項１記載のベビーキャリーバスケット。これにより、第一の連結機構または第二の連結機構を一部兼用できるし、第一の連結機構または第二の連結機構の長さを短くできる。
【００５９】
［３］長辺側面のクッション体の幅は、短辺側面のクッション体の幅のほぼ２倍であり、  短辺側面のクッション体側の第一の連結機構と第二の連結機構は兼用されることを特徴とする請求項２記載のベビーキャリーバスケット。これにより、付け替えた短辺側面のクッション体を２つ並べて、長辺側面のクッション体とほぼ同じ幅にでき、クッション体全体を凹凸の無い状態にできる。また、第一の連結機構及び第二の連結機構の資材を少なくできる。
【００６０】
［４］上記側面のクッション体が付け替えられる、上記２つの短辺側面のクッション体の隣接するそれぞれの辺縁には、これら辺縁を互いに連結する第三の連結機構が設けられていることを特徴とする請求項３記載のベビーキャリーバスケット。これにより、短辺側面のクッション体どうしを連結してクッション体全体を安定させ快適性を向上させることができる。
【００６１】
［５］上記ベビーキャリーバスケットには複数の開口部が設けられ、１つの開口部から上記クッション体を引き出すまたは入れ込み、他の開口部から、この引き出しまたは入れ込みを助けることを可能とする請求項４記載のベビーキャリーバスケット。これにより、クッション体が出し入れされる開口部と異なる開口部から手をいれて、クッション体を引いたり押したりでき、クッション体をバスケット袋体１内から容易に出し入れできる。
【００６２】
［６］上記側面のクッション体が付け替えられた、底面のクッション体、長辺側面のクッション体及び短辺側面のクッション体は、袋体に収納されることを特徴とする請求項５記載のベビーキャリーバスケット。これにより、このような袋体に収納されれば、クッション体を幼児用の布団としてより快適に使用できる。
【００６３】
［７］上記長辺側面のクッション体はやや台形形状に近く、ベビーキャリーバスケット内の乳児の頭部側の高さは同乳児の足側の高さよりやや高いことを特徴とする請求項６記載のベビーキャリーバスケット。これにより、乳児の頭部をより保護して守ることができる。
【００６４】
［８］上記クッション体が外されたベビーキャリーバスケットは、中央で折られて、荷物を収納する袋に転用されることを特徴とする請求項７記載のベビーキャリーバスケット。これにより、クッション体以外にも、ベビーキャリーバスケット自体も、乳児が成長して大きくなった時でも、幼児用またはそれ以上の年齢で、荷物を入れる袋（肩掛け袋、手提げ袋）として転用できる。
【産業上の利用可能性】
【００６５】
ベビーキャリーバスケットを幼児以上になっても使用できるようにする。長方形の底面クッション体１２の各辺には短辺側面クッション体１３、１３及び長辺側面クッション体１４、１４が繋がっており、底面クッション体１２と短辺側面クッション体１３、１３との間の第一連結ファスナー１５、１５の連結を外し、長辺側面クッション体１４、１４の外縁の第二連結ファスナー１６、１６に繋ぎ変え、さらに短辺側面クッション体１３、１３どうしを面ファスナー１７、１７で連結する。
【００６６】
このようなクッション体１２，１３、１４は、バスケット袋体１内から取り出して、上記繋ぎ変えをして、布団袋２１内に収納して、布団に転用し幼児以上でも使用できる。クッション体１３、１４、１５を取り出したバスケット袋体１は、中央で折り曲げられ、ファスナー９どうしをつないで閉じて、袋状とし、荷物を入れて運ぶ。
【図面の簡単な説明】
【００６７】
【図１】ベビーキャリーバスケットの外観を示す。
【図２】ベビーキャリーバスケットを開いた状態を示す。
【図３】バスケット袋体１内に収納される、クッション体１２、１３、１４を示す。
【図４】短辺側面クッション体１３、１３を付け替えたクッション体１２、１３、１４及び布団袋２１を示す。
【図５】バスケット袋体１を袋（肩掛け袋、手提げ袋）にした状態を示す。
【図６】ベビーキャリーバスケット内に配置されるインナーシート２６及びインナー枕３１を示す。
【符号の説明】
【００６８】
１…バスケット袋体、２…底面、
３…短辺側面、４…長辺側面、
５…角部、６、９…ファスナー、
７…キャリーバンド、８…開口部、
１２…底面クッション体、
１３…短辺側面クッション体、
１４…長辺側面クッション体、
１５…第一連結ファスナー（第一の連結機構）、
１６…第二連結ファスナー（第二の連結機構）、
１７…面ファスナー（第三の連結機構）、
１８…下面収納袋、２１…布団袋（袋体）、
２２…開口部、２３…紐,
２６…インナーシート、２７…頭部側、
２８…足部側、２９…雌ホック、
３０雄ホック、３１…インナー枕。
【図１】
2014087433.tif 000003
【図２】
2014087433.tif 000004
【図３】
2014087433.tif 000005
【図４】
2014087433.tif 000006
【図５】
2014087433.tif 000007
【図６】
2014087433.tif 000008